(57)【特許請求の範囲】
【請求項１】
映像音声情報を収録する撮影器と、
複数のシーンから構成される映像番組における、映像番組の構成およびシーン毎に設定された情報からなる収録支援情報が入力される入力器と、
前記映像音声情報の撮影時の状況を示す撮影状況情報を取得する撮影状況取得器と、
撮影時に取得した前記撮影状況情報を、撮影前に設定した前記収録支援情報に照合し、前記映像音声情報をシーン毎に分類する管理器と、
を備える撮影装置。
【請求項２】
前記収録支援情報は、前記映像音声情報を撮影する日程予定に関する情報であり、
前記撮影状況情報は、前記映像音声情報を実際に撮影した収録日程に関する情報である、
請求項１に記載の撮影装置。
【請求項３】
前記収録支援情報は、前記映像音声情報を撮影する収録予定場所に関する情報であり、
前記撮影状況情報は、前記映像音声情報を実際に撮影した収録場所に関する情報である、
請求項１または２に記載の撮影装置。
【請求項４】
前記収録支援情報は、前記映像音声情報を素材にして制作される映像番組の出演予定人物に関する情報であり、
前記撮影状況情報は、実際に撮影した前記映像音声情報に出演した人物に関する情報である、
請求項１から３の何れかに記載の撮影装置。
【請求項５】
前記収録支援情報は、前記映像音声情報を素材にして制作される映像番組においてその出演人物が喋る予定の台詞に関する情報であり、
前記撮影状況情報は、実際に撮影した前記映像音声情報に出演した人物が出演中に喋った台詞に関する情報である、
請求項１に記載の撮影装置。
【請求項６】
前記収録支援情報は、前記映像音声情報を撮影する収録予定場所の背景映像情報であり、
前記撮影状況情報は、前記映像音声情報を実際に撮影した収録場所の背景映像情報である、
請求項１に記載の撮影装置。
【請求項７】
前記管理器の分類結果を基に、前記映像音声情報を一括管理する索引情報を生成する索引情報生成器と、
前記映像音声情報と前記索引情報とを着脱可能な記録媒体に記録する記録器と、
をさらに有する請求項１から６の何れかに記載の撮影装置。
【請求項８】
前記収録支援情報は前記記録媒体に書き込まれており、
前記入力器は、前記記録媒体に書き込まれた前記収録支援情報を読み出し、
前記記録器は、前記収録支援情報が書き込まれた前記記録媒体を他の記録媒体と区別することなく記録用の記録媒体として用いる、
請求項７に記載の撮影装置。
【請求項９】
前記索引情報は、前記映像音声情報を特定可能な映像情報ＩＤおよび音声情報ＩＤと、個々の記録媒体を特定可能な記録媒体ＩＤとを有する、
請求項７または８に記載の撮影装置。
【請求項１０】
前記記録媒体は、ＰＣカード規格に準拠している、
請求項７から９の何れかに記載の撮影装置。
【請求項１１】
前記記録器は、ＰＣカード規格に準拠したタイプの異なるＰＣカード、及び、ＳＤ規格を含むメモリカード規格に準拠したメモリカードを記録可能である、
請求項７から１０の何れかに記載の撮影装置。
【請求項１２】
撮影作業者によって実行される前記映像音声情報の収録状況の評価に関する入力を受け付ける評価入力器をさらに有し、
前記管理器は、前記評価入力器に入力される収録状況評価に基づいて、収録した前記映像音声情報をさらに分類する、
請求項１から１１の何れかに記載の撮影装置。
【請求項１３】
前記評価入力器は、撮影作業者による音声入力を受け付けたうえで当該音声入力を音声認識によってテキストデータからなる前記収録状況評価に変換する、
請求項１２に記載の撮影装置。
【請求項１４】
前記収録状況評価を分類する分類テーブルをさらに備えており、
前記管理器は、前記評価入力器から供給される前記収録状況評価のテキストデータを前記分類テーブルに照合することで、収録した前記映像音声情報をさらに分類する、
請求項１２または１３に記載の撮影装置。
【請求項１５】
前記収録支援情報の作成者による入力を受けるとともに、入力される前記収録支援情報を前記記録媒体に記録する番組構成入力装置と、
請求項８から１４の何れかに記載の撮影装置と、
を備える撮影システム。
【発明の詳細な説明】
【技術分野】
【０００１】
本発明は、記録媒体等に予め記録されたのち当該撮影装置に入力される収録支援情報に基づいて、映像音声情報を収録する撮影装置や撮影システムに関する。
【背景技術】
【０００２】
テレビジョン放送、あるいは各種パッケージメディアで提供される映像番組は、映像番組の企画立案、映像番組を構成するために必要な映像音声情報（素材）の収録、および素材を編集して最終的な映像番組を構成するための編集という一連の工程（ワークフロー）を経て制作される。企画工程は、どのような映像番組を制作するかを企画、立案する工程であり、この段階で番組構成,番組情報などが決定される。収録工程は、企画工程で決められた番組構成に基づいて、必要な素材を撮像機器（例えばカメラ一体型ＶＴＲ）で各種記録媒体に記録する工程であり、編集工程においては、収録された素材の中から必要な素材を組み合わせて最終的な映像番組が形作られる。
【０００３】
これらの各工程においては、映像信号や音声信号だけでなく、映像番組、素材に関連した各種情報（以後メタデータと記す）が企画工程で生成される。具体的には、企画工程において、映像番組の構成、素材に必要とされる情報（出演者、収録条件など）などのメタデータ（企画）が生成される。
【０００４】
素材の収録工程は、このようにして生成されるメタデータ（企画）に基づいて、素材の収録がなされる。素材の収録工程では、素材の獲得時点（収録地点）において、素材の付加情報（撮影時間,撮影場所,撮影者など）が自動あるいは人間の手によって作製されて登録される。素材に関する付加情報は素材と関連づけられて記録媒体に保存される。
【０００５】
編集工程は、素材のどの部分を使用して映像番組を構成するかを決定するオフライン編集（粗編集）と、オフライン編集によって生成された編集情報（EDL：Edit Decision List）等の編集用メタデータに基づいて、実際の編集を行うオンライン編集の２つのステップからなる。オンライン編集によって最終的な映像番組が完成し、制作の途中段階で生成された各種メタデータは、何らかの形で映像番組、映像番組を構成する各素材と関連づけがなされ、データベースに登録されて保存される。
【０００６】
以上説明したような番組制作工程における収録工程で生成されるメタデータ、及びその生成、記録方法に関しては、映像及び音声等の素材を収録し、これらの素材を編集、加工して映像番組を制作し、さらに完成した映像番組を保管するシステムにおいて、従来から次の構成がある。なお、以下の説明では、本願発明と用語を統一するため、以下の従来例の説明で用いる計画、取材などの用語は、本願発明の説明で用いる企画、収録の用語に変更している。
【０００７】
まず、素材の収録工程において、素材を詳細に説明するためのメタデータを生成し、記録媒体に入力する。収録工程において素材に付加されるメタデータは２種類ある。一番目のデータは、撮影開始,終了時間,撮影場所（地名）,撮影者などの企画工程であらかじめ決定されたメタデータである。これらのメタデータは無線通信により撮像装置に送信される。撮像装置では受信したそれらのメタデータを一旦メモリに記憶し、実際に素材を収録する際には、メタデータを前記メモリから読み出し、収録した素材と読み出したメタデータとを関連付けて記録媒体に記録する。
【０００８】
二番目のデータは、撮影と同時に生成されて記録媒体に記録されるメタデータである。これら２番目のデータは、GPS(Global Positioning System)で検出される位置情報（緯度,経度,高度）や時刻情報,収録場所の地名,撮影機材の情報（機材ID),レンズ情報などのカメラセットアップ情報,素材を識別するためのUMID（Unique Material IDentifier）などがある。
【０００９】
収録工程で素材とともに記録媒体に記録されたメタデータは、後工程で利用されるとともに、素材と関連づけられてアーカイブに保管される。このように、従来の撮影装置は、素材に関連するメタデータを効率良く生成して、素材とともに記録媒体に記録している。企画工程で設定可能なメタデータ（上記１番目のデータ）は、収録前に予め撮像機器側に入力しておく。素材の獲得時点で初めて取得できるメタデータ（上記２番目のデータ）は、収録時に素材と同時に記録することにより、収録が終了した段階では、素材と素材に関連する必要なメタデータとが記録媒体に記録される。これらの素材用のメタデータは、後の工程あるいはアーカイブにおいて例えば素材を検索するためのメタデータとして使用される。
（特許文献１,２参照）
【特許文献１】特開２００１−２９２４１０号
【特許文献２】特開２０００−９２４１９号
【発明の開示】
【発明が解決しようとする課題】
【００１０】
番組制作は、収録した素材を後工程で編集,加工して最終的な映像番組を完成するものである。そのため、収録の段階においても最終的な映像番組の構成,各種加工処理を意識した素材の獲得が必要とされる。これに対して、上記従来の撮影システム（特許文献１）は、単に必要な素材を複数カット収録し、同時にメタデータを記録するだけであって、収録を支援する情報を利用した、効率的かつ最適な素材の獲得作業を従来の撮影システムで行うことはできない。例えば、収録段階において、現在収録している素材（シーン）が、最終的な映像番組の中で他のシーンとどのようにつながり、またどのような加工処理が施されるかを意識した形で素材を収録することは困難であった。
【００１１】
そのため、収録工程においては、とりあえず必要なシーンを複数カット記録しておき、収録終了後の編集工程において収録した多数の素材を整理／管理し、さらに映像番組を構成する上で最適な素材を選別して、各シーンをつなぎ合わせ加工処理を施して最終番組を作成する作業を行っている。このような理由により、従来の撮影システムを用いた番組制作では、結果的に収録後の編集工程以降において多大な作業時間を必要としていた。
【００１２】
また、上記従来の撮影システム（特許文献２）は、収録した素材が映像番組のどのシーンに対応するかを示す情報を収録素材に付与する構成が開示されている。しかしながら、この構成において前記対応を示す情報は手入力によって撮影作業者が撮影装置に入力しなければならず、作業が煩雑になるのは避けられない。
【課題を解決するための手段】
【００１３】
上記課題を解決するために本発明の撮影装置は、映像音声情報を収録する撮影器と、複数のシーンから構成される映像番組における、映像番組の構成およびシーン毎に設定された情報からなる収録支援情報が入力される入力器と、前記映像音声情報の撮影時の状況を示す撮影状況情報を取得する撮影状況取得器と、撮影時に取得した前記撮影状況情報を、撮影前に設定した前記収録支援情報に照合し、前記映像音声情報をシーン毎に分類する管理器と、を備える。
【００１７】
また、前記収録支援情報は、前記映像音声情報を撮影する日程予定に関する情報であり、前記撮影状況情報は、前記映像音声情報を実際に撮影した収録日程に関する情報であれば、映像音声情報を撮影日程に基づいて分類できる。
【００１８】
また、前記収録支援情報は、前記映像音声情報を撮影する収録予定場所に関する情報であり、前記撮影状況情報は、前記映像音声情報を実際に撮影した収録場所に関する情報であれば、映像音声情報を撮影場所に基づいて分類できる。
【００１９】
また、前記収録支援情報は、前記映像音声情報を素材にして制作される映像番組の出演予定人物に関する情報であり、前記撮影状況情報は、実際に撮影した前記映像音声情報に出演した人物に関する情報であれば、映像音声情報を出演人物に基づいて分類できる。
【００２０】
また、前記管理器の分類結果を基に、前記映像音声情報を一括管理する索引情報を生成する索引情報生成器と、前記映像音声情報と前記索引情報とを着脱可能な記録媒体に記録する記録器とをさらに備えれば、分類結果を、映像音声情報に関連付けて記録媒体に記録することができる。
【００２１】
前記収録支援情報は例えば、前記記録媒体に書き込んだ状態で撮影装置に入力することができる。そうすれば、収録支援情報が書き込まれた記録媒体を他の記録媒体と区別することなく記録器における記録媒体として用いることができる。
【００２２】
なお、撮影作業者によって実行される前記映像音声情報の収録状況の評価に関する入力を受け付ける評価入力器をさらに有し、前記管理器は、前記評価入力器に入力される収録状況評価に基づいて、収録した前記映像音声情報をさらに分類するのが好ましい。そうすれば、映像音声情報を収録状況評価に基づいてさらに詳細に分類することができる。
【００２３】
なお、前記評価入力器は、撮影作業者による音声入力を受け付けたうえで当該音声入力を音声認識によりテキストデータからなる前記収録状況評価に変換すれば、撮影管理者（撮影監督）の音声により収録状況評価を行うことができ、収録状況評価の入力が容易になる。
【００２４】
なお、前記収録状況評価の分類テーブルをさらに備えており、前記管理器は、前記評価入力器から供給される前記収録状況評価のテキストデータを前記分類テーブルに照合することで、収録した前記映像音声情報をさらに分類するのが好ましい。そうすれば、一つではない複数の収録状況評価によって映像音声情報をさらに詳細に分類することが可能となる。
【００２５】
このような本発明の構成を実施するうえでは、本発明の撮影装置に加えて、前記収録支援情報の作成者による入力を受けるとともに、入力される前記収録支援情報を前記記録媒体に記録する番組構成入力装置を備えて撮影システムを構成するのが好ましい。
【００２６】
なお、本発明における映像音声情報は、映像情報と音声情報とのうちの少なくとも一つを含むものである。
【発明の効果】
【００２７】
本発明によれば、番組制作のワークフローにおいて、素材の収録時にメタデータを利用した効率的、かつ最適な素材の収録を行うことにより、番組制作工程全体を効率化し、制作時間の短縮、制作コストの削減を実現することができる。
【発明を実施するための最良の形態】
【００２８】
以下、本発明の実施の形態について、図１〜１５を参照して説明する。各実施の形態における撮影装置では、映像音声情報をファイルとして記録し、更に、編集装置とのデータの親和性を考慮して映像、音声のデータを別ファイルで記録することとする。つまり、撮影時に複数のファイルが同時生成されることになる。このように同時に生成された映像、音声のファイルはまとめてクリップと呼ばれる。このクリップは、映像,音声以外に、サムネール（映像の縮小見本）やその他メタデータが関連付けられることもある。また、クリップの構成要素である映像,音声のファイルはエッセンスファイルと呼ばれる。また、この撮像装置で扱われる映像音声情報は、映像情報と音声情報とのうちの少なくとも一つを含むものである。すなわち、一般的に映像音声情報とは、映像情報と音声情報との両方を含むものであるが、映像情報だけからなる情報も、本発明では映像音声情報の一つと見なす。
【００２９】
（実施の形態１）
図１は本発明の実施の形態１における撮影システムの構成図であり、図２はその撮影システムを構成する撮影装置２００のブロック構成図である。この撮影システムは、番組構成入力装置１００と、撮影装置２００とを備える。
【００３０】
番組構成入力装置１００は、映像番組の企画案を入力する入力装置であって、例えば、映像番組の企画立案支援用のソフトウェアがインストールされたパーソナルコンピュータから構成される。
【００３１】
撮影装置２００は、撮像器１、記録映像信号処理器２、映像信号符号化器３、集音器としてのマイク４、記録音声信号処理器５、音声信号符号化器６、第１の情報取得器７Ａ、第２の情報取得器７Ｂ、ファイル管理器９、映像ファイル生成器１０、音声ファイル生成器１１、索引ファイル生成器１２、記録再生制御器１３、第１の装填器１４、第ｎの装填器１５、第１の記録媒体１６、及び、第ｎの記録媒体１７を備える。
【００３２】
撮像器１と記録映像信号処理器２と映像信号符号化器３とマイク４と記録音声信号処理器５と音声信号符号化器６と映像ファイル生成器１０と音声ファイル生成器１１とは撮影器の一例を構成する。しかしながら、これらの構成は撮影器の一例に過ぎず、一般的な他の撮影器の構成であってもよいのはいうまでもない。
【００３３】
記録再生制御器１３と第１〜第ｎの装填器１４〜１５とは、記録器を構成する。しかしながら、これらの構成は記録器の一例に過ぎず、一般的な他の記録器の構成であってもよいのはいうまでもない。
【００３４】
第１の情報取得器７Ａは、第１の記録媒体１６に格納されて撮影装置２００に取り込まれる番組構成情報を、第１の装填器１４,記録再生制御器１３を介して第１の記録媒体１６から読み出してファイル管理器９に出力する。ここでいう番組構成情報は収録支援情報の一つであって、番組構成入力装置１００で作成されて第１の記録媒体１６に記録されるデータである。番組構成情報の詳細については後述する。
【００３５】
また、第１の情報取得器７Ａは、第１の記録媒体１６に格納されて撮影装置２００に取り込まれる収録日程情報を、第１の装填器１４,記録再生制御器１３を介して第１の記録媒体１６から読み出してファイル管理器９に出力する。ここでいう収録日程情報は収録支援情報の一つであって、番組構成入力装置１００で作成されて第１の記録媒体１６に記録されるデータであり、以下、収録日程情報（予定）という。収録日程情報（予定）の詳細については後述する。
【００３６】
また、第１の情報取得器７Ａは、第１の記録媒体１６に格納されて撮影装置２００に取り込まれる収録人物情報を、第１の装填器１４,記録再生制御器１３を介して第１の記録媒体１６から読み出してファイル管理器９に出力する。ここでいう収録人物情報は収録支援情報の一つであって、番組構成入力装置１００で作成されて第１の記録媒体１６に記録されるデータであり、以下、収録人物情報（予定）という。
【００３７】
また、第１の情報取得器７Ａは、第１の記録媒体１６に格納されて撮影装置２００に取り込まれる収録場所情報を、第１の装填器１４,記録再生制御器１３を介して第１の記録媒体１６から読み出してファイル管理器９に出力する。ここでいう収録場所情報は収録支援情報の一つであって、番組構成入力装置１００で作成されて第１の記録媒体１６に記録されるデータであり、以下、収録場所情報（予定）と称する。収録場所情報（予定）の詳細については後述する。
【００３８】
第２の情報取得器７Ｂは、日程情報取得器７ａ、人物情報取得器７ｂ、および場所情報取得器７ｃを備える。
【００３９】
日程情報取得器７ａは、映像撮影時において、その撮影時における日時情報を生成してファイル管理器９に出力する。撮影時における収録日程情報は撮影状況情報の一つであって、以下、撮影時における収録日程情報を収録日程情報（撮影）という。
【００４０】
人物情報取得器７ｂは、映像撮影時において、その撮影に出演する人物情報を取得してファイル管理器９に出力する。撮影時における収録人物情報は撮影状況情報の一つであって、以下、撮影時に実際に撮影に出演する人物情報を収録人物情報（撮影）という。人物情報取得器７ｂによる収録人物情報（撮影）の生成管理は、例えば次のようにして実施される。すなわち、図２に示すように、予め、撮影に出演する人物αに無線発信器７ｄを装着させる。無線発信器７ｄには、人物特定情報（人物ＩＤ番号）が予め登録されており、撮影時に撮影装置２００に向けて人物特定情報（人物ＩＤ番号）が付加された無線信号を送信する。人物情報取得器７ｂは、無線受信器７ｅを備えており、撮影時において無線受信器７ｅが無線信号を受信すると、人物情報取得器７ｂは、受信した無線信号から人物特定情報（人物ＩＤ番号）を抽出することで収録人物情報（撮影）を生成し、生成した収録人物情報（撮影）をファイル管理器９に出力する。
【００４１】
場所情報取得器７ｃは、映像撮影時において、その撮影場所情報を取得してファイル管理器９に出力する。撮影時における収録場所情報は撮影状況情報の一つであって、以下、撮影時における実際の収録場所情報を収録場所情報（撮影）という。場所情報取得器７ｃによる収録場所情報（撮影）の管理は、例えば次のようにして実施される。すなわち、場所情報取得器７ｃは、ＧＰＳ（Global Positioning System）に基づいて現在地を測位するＧＰＳ測位装置７ｆを備えており、場所情報取得器７ｃは、撮影時におけるその場所（撮影場所）をＧＰＳ測位装置７ｆにより測位することで、収録場所情報（撮影）を作成して、ファイル管理器９に出力する。
【００４２】
本実施形態では、第１の情報取得器７Ａと記録再生制御器１３と第１の装填器１４とから入力器の一例が構成され、第２の情報取得器７Ｂから撮影状況取得器の一例が構成され、ファイル管理器９から管理器の一例が構成される。
【００４３】
図３は、映像番組の企画立案者によって番組構成入力装置１００に入力される番組構成情報の模式図である。図３に示されるように、１つの映像番組は、複数のシーンにより構成され、それらをシナリオに則り、順番通り、つなぎ合わせて、始めて、１つの映像番組が完成される。この図では、シーン１からシーン５０までの５０個のシーンによって、一つの映像番組が構成されていることが分かる。映像番組の企画立案者は、まず、シナリオ等に基づいてこのような番組構成を構想したうえで、構想した番組構成を番組構成入力装置１００に入力する。番組構成入力装置１００に入力された番組構成情報は番組構成入力装置１００が有する図示しない記録装置に記録される。
【００４４】
図４は、映像番組の企画立案者によって番組構成入力装置１００に入力される収録日程情報（予定）の模式図である。図４に示されるように、各シーンの収録順序は、番組構成の順番とは異なるのが普通である。出演人物（俳優）の日程や、天候の状態、または、ロケ地やスタジオの予約状況など、様々な要因により、収録できるシーンから収録していくことになるが、通常、その収録日程は、途中変更があるにせよ、収録が始まる前に予め分かっている。映像番組の企画立案者は、予め分かっている収録予定に基づいて収録日程情報（予定）を構想したうえで、構想した収録日程情報（予定）を番組構成入力装置１００に入力する。番組構成入力装置１００に入力された収録日程情報（予定）は番組構成入力装置１００が有する図示しない記録装置に記録される。
【００４５】
図４では、最初にシーン４８が収録され、次にシーン１０が収録される。そして、その後にシーン２９が収録され、最後にシーン３が収録される予定となっている。また、図中の表に記載されているように、各シーンには、それぞれ、各シーンの収録期間が設定されている。例えば、シーン４８では開始日時Ｓ１から終了日時Ｅ１の間に収録がなされる予定となっており、シーン４８を構成する所望のクリップが、このシーン収録期間中に、いくつか収録される予定が組まれている。同様に、シーン１０では開始日時Ｓ２から終了日時Ｅ２の間、シーン２９では開始日時Ｓ３から終了日時Ｅ３の間、最後のシーン３では開始日時Ｓ５０から終了日時Ｅ５０の間に収録がなされる予定となっており、各シーンの収録期間内に、各シーンを構成する所望のクリップがシーン毎にいくつか収録される予定が組まれている。
【００４６】
図５は、映像番組の企画立案者によって番組構成入力装置１００に入力される収録人物情報（予定）の模式図である。図５に示されるように、各シーンに出演する出演人物（俳優等）は、収録が始まる前（シナリオ確定時）において予め分かっている。企画立案者は、予め分かっている収録予定に基づいて収録人物情報（予定）を番組構成入力装置１００に入力する。番組構成入力装置１００に入力された収録人物情報（予定）は番組構成入力装置１００が有する図示しない記録装置に記録される。
【００４７】
図５では、最初に収録されるシーン４８において、人物イ,ロ,ハが出演し、次に収録されるシーン１０では、人物イ,ロ,ホ,へ,トが出演する。他のシーンにおいても同様に、出演人物が記録される。なお、番組構成入力装置１００の表示画面では、図５に示すように、人物名によって出演人物が表示管理される。しかしながら、出演予定人物それぞれには、予め、固有の人物ＩＤ番号が付与されており、番組構成入力装置１００の内部において出演人物は、この人物ＩＤ番号に基づいて登録管理される。
【００４８】
図６は、映像番組の企画立案者によって番組構成入力装置１００に入力される収録場所情報（予定）の模式図である。図６に示されるように、各シーンが撮影される場所は、収録が始まる前（収録日程確定時）において予め分かっている。企画立案者は、予め分かっている収録予定に基づいて収録場所情報（予定）を番組構成入力装置１００に入力する。番組構成入力装置１００に入力された収録場所情報（予定）は番組構成入力装置１００が有する図示しない記録装置に記録される。なお、番組構成入力装置１００の表示画面では、図６に示すように、場所名によって収録場所が表示管理される。しかしながら、番組構成入力装置１００の内部において収録場所は、緯度/経度/高度をそれぞれ示す数値情報に基づいて登録管理される。
【００４９】
図６では、最初に収録されるシーン４８は、収録場所として、場所（１）が登録されており、次に収録されるシーン１０では、収録場所として、場所（２）が登録されている。他のシーンにおいて同様に、収録場所が記録される。
【００５０】
本実施形態において収録支援情報は、図３に示す番組構成情報と、図４に示す収録日程情報（予定）と、図５に示す収録人物情報（予定）と、図６に示す収録場所情報（予定）とを含んで構成される。また、本実施形態において撮影状況情報は、収録日程情報（撮影）と、収録人物情報（撮影）と、収録場所情報（撮影）とを含んで構成される。
【００５１】
番組構成入力装置１００には、第１の記録媒体１６の記録再生装置（図示省略）が組み込まれており、映像番組の企画立案者によって番組構成入力装置１００に入力される収録支援情報は、番組構成入力装置１００によって第１の記録媒体１６に記録される。収録支援情報が記録された第１の記録媒体１６は、映像番組の撮影担当者によって番組構成入力装置１００から取り出されたのち、撮影装置２００の第１の装填器１４に装填される。
【００５２】
第１の記録媒体１６が第１の装填器１４に装填されると、記録再生制御器１３が、第１の記録媒体１６から収録支援情報を読み出し、さらに、読み出した収録支援情報から第１の情報取得器７Ａが、番組構成情報と、収録日程情報（予定）と、収録人物情報（予定）と、収録場所情報（予定）とを抽出する。抽出されたこれらの情報は、ファイル管理器９に入力される。ファイル管理器９は、これらの情報を記録して、映像番組を構成するシーン毎にクリップを分類して一括管理する際の分類基準情報として活用する。
【００５３】
なお、収録支援情報を伝達する構成は、第１の記録媒体１６を介して番組構成入力装置１００から撮影装置２００に伝達する構成だけではない。例えば、番組構成入力装置１００と撮影装置２００とを有線／無線で相互通信可能に接続したうえで、番組構成入力装置１００から撮影装置２００に伝達してもよい。
【００５４】
さらには、収録支援情報は、入力装置１００から撮影装置２００に伝達させたのち、撮影装置２００内の記録媒体にいったん記録させてから用いてもよいし、収録支援情報が必要となるたびに入力装置１００から撮影装置２００に伝達させる（例えば、有線／無線のネットワーク経由で取り込む）ようにしてもよい。
【００５５】
以上の収録準備が完了して収録が開始されると、撮像器１において光信号が撮像素子により電気信号に変換され、その後、記録映像信号処理器２に入力される。記録映像信号処理器２ではガンマ処理や、ニー処理等の信号処理が施され、デジタル映像信号として出力される。記録映像信号処理器２から出力された原映像のデジタル映像信号は、映像信号符号化器３に入力され、所定の方式により符号化が為されて、映像符号化ビットストリームとして出力される。
【００５６】
映像信号符号化器３から出力された映像符号化ビットストリームは、ファイル管理器９により管理されるファイル管理情報と共に、映像ファイル生成器１０により所定のファイル形式の映像ファイルとしてファイル生成される。
【００５７】
一方、マイク４において音声が電気信号に変換され、マイク４から出力された音声信号が記録音声信号処理器５に入力される。記録音声信号処理器５では、マイク４から出力された音声信号をアンプにて増幅し、アンプから出力された音声信号はＡ／Ｄコンバータに入力されてデジタル信号に変換される。記録音声信号処理器５から出力されたデジタル音声信号は、音声信号符号化器６に入力され、ここで例えば、ＭＰＥＧオーディオ、ＡＣ−３等の所定の方式により符号化が為されて、音声符号化ビットストリームとして音声信号符号化器６から出力される。
【００５８】
音声信号符号化器６から出力された音声符号化ビットストリームは、ファイル管理器９により管理されるファイル管理情報と共に、音声ファイル生成器１１により所定のファイル形式の音声ファイルとしてファイル生成される。
【００５９】
また、ファイル管理器９により管理されるファイル管理情報を基に、１クリップを形成するのに必要な各映像ファイル、音声ファイルを索引出来るように、必要な情報を一括りにしてクリップ毎に管理する索引ファイルが索引ファイル生成器１２により所定のファイル形式で生成される。
【００６０】
各ファイル生成器１０,１１,１２で生成される映像,音声,索引の各ファイルのデータは、記録再生制御器１３に入力され、各ファイルのデータの記録が制御される。記録再生制御器１３に入力される映像ファイルと音声ファイル、及び、索引ファイルの各ファイルのデータは、記録媒体のＥＣＣブロック単位や消去単位等をクラスタ単位としたクラスタの整数倍を基本単位として、インターリーブされて、第１の装填器１４を介して第１の記録媒体１６に記録される。
【００６１】
第１の記録媒体１６に記録していくクリップが多くなって、１つの記録媒体に収まり切らなくなると、順次、次の記録媒体に記録していき、第ｎの装填器１５を介して第ｎの記録媒体１７まで、連続的に記録される。
【００６２】
第１及び第ｎの記録媒体１６,１７は、撮影装置に着脱可能に構成された任意の記録媒体であり、例えば、ＰＣカード型ハードディスクドライブやメモリカード等のカード状記録媒体、または、大容量化、高速化を図って複数のメモリカードを内蔵させたメモリカードパック等である。そして、例えば、記録媒体がメモリカードパックである場合、メモリカードパック内に内蔵されているメモリカードの数と同数のクラスタの数が記録再生制御器１３での記録再生の基本単位となる。
【００６３】
なお、本実施形態では、第１の記録媒体１６は、撮影装置２００で撮影される撮影データの記録媒体としても用いられるほか、番組構成入力装置１００から撮影装置２００に収録支援情報を搬送する搬送媒体として用いられる。また、収録支援情報は、第１の記録媒体１６を介して番組構成入力装置１００から撮影装置２００に搬送されるほか、番組構成入力装置１００から撮影装置２００に無線伝送されてもよく、収録支援情報の搬送入力形態はどのようなものであってもよい。無線伝送する場合には、撮影装置２００は無線受信器を備えることになり、無線受信器と第１の情報取得器７Ａとから入力器が構成される。
【００６４】
ファイル管理器９は、ＦＡＴ３２等のファイルシステムによりファイルを管理する。ここで管理に用いられるファイル管理情報は、個々の着脱可能な記録媒体を特定可能とする記録媒体のメディアＩＤ、映像ファイルを特定可能とする映像ファイルのファイルＩＤ、及び、音声ファイルを特定可能とする音声ファイルのファイルＩＤ、各ファイル内にあるフレームを特定可能とするフレームＩＤ、及び、各ファイルのファイル容量等である。本実施形態の撮影装置２００では、これらの管理情報に加えて、収録支援情報と撮影状況情報とがファイル管理情報として用いられる。
【００６５】
映像ファイル生成器１０、音声ファイル生成器１１では、素材交換ファイル形式であるＭＸＦ（Material eXchange Format）やＡＶＩ（Audio Video Interleaving ）、ＷＡＶ等のファイル形式でファイルを生成し、索引ファイル生成器１２では、ＸＭＬ（eXtensible Markup Language）等のテキストファイル形式やＣＳＶ（Comma Separated Value）ファイル形式等のファイル形式でファイルを生成する。
【００６６】
以下、撮影状況情報を構成する各情報（撮影）の具体的な生成方法の一例を説明する。
【００６７】
収録時間情報（撮影）は、次のようにして生成される。撮影時、撮影データには撮影日時情報が付加される。これらの撮影日時情報は、映像ファイル生成器１０と音声ファイル生成器１１とによって撮影装置２００内の内蔵時計（暦機能付き）３０から読み出されて撮影データに付加される。このとき（撮影時）、日程情報取得器７ａは、撮影に同期して内蔵時計３０から撮影日時情報を読み出してファイル管理器９に供給する。なお、日程情報取得器７ａは、撮影に同期してＧＰＳ測位装置７ｆから撮影日時情報を取得してもよい。
【００６８】
収録人物情報（撮影）は、次のようにして生成される。前述したように、撮影時、出演人物αは、無線発信器７ｄを携帯している。無線発信器７ｄは、出演人物αに固有に設定された人物特定情報（人物ＩＤ番号）が付加された無線信号を送信する。無線発信器７ｄから発信される無線信号は、無線受信器７ｅにより受信される。人物情報取得器７ｂは、この無線信号を解析して人物特定情報（人物ＩＤ番号）を抽出する。一つの撮影に複数の人物が出演する場合においても、各出演人物を区別して個別に人物特定情報（人物ＩＤ番号）を抽出する。
【００６９】
人物情報取得器７ｂは、抽出した人物特定情報（人物ＩＤ番号）をファイル管理器９に供給する。ファイル管理器９は、それらの人物特定情報（人物ＩＤ番号）をその撮影（クリップ）に対応付けて記録する。
【００７０】
収録場所情報（撮影）は、次のようにして生成される。前述したように、撮影時、ＧＰＳ測位装置７ｆは、測位動作を実施している。場所情報取得器７ｃは、ＧＰＳ測位装置７ｆの測位結果に基づいて収録場所情報（撮影）を生成して、ファイル管理器９に供給する。
【００７１】
図３を参照して前述したように、１つの映像番組は、複数のシーンにより構成され、それらをシナリオに則り、順番通り、つなぎ合わせて、始めて、１つの映像番組が完成する。
【００７２】
図７はファイル管理器９により収集された撮影状況情報と収録クリップとの間の相関関係図である。図８は、各シーンと各クリップとの間の相関関係図であって、これはファイル管理器９による分類結果を示す。これらの相関関係図は、収録支援情報、撮影状況情報の供給を受けたファイル管理器９が作成して自身の分類テーブル（図示省略）に記録する。
【００７３】
図７に示すように、収録された各クリップには、収録日程情報（撮影）、収録人物情報（撮影）、収録場所情報（撮影）が対応付けられている。ファイル管理器９は、撮影時に生成されるこれらの撮影状況情報に基づき、収録されたクリップがどのシーンのクリップであるのかを、撮影状況情報と収録支援情報との照合により判定し、その判定結果に従って、各クリップを各シーンに自動的に分類する。
【００７４】
すなわち、図４に示すように、収録日程情報（予定）によって各シーンの収録開始時間と収録終了時間とが設定されているので、収録時に取得される各クリップの収録日程情報（撮影）を、収録日程情報（予定）と番組構成情報とに照合することで、収録しているクリップがどのシーンの収録クリップなのかを判定する。同様に、図５に示すように、収録人物情報（予定）によって各シーンに出演する出演人物が設定されているので、収録時に取得される収録人物情報（撮影）を、収録人物情報（予定）と番組構成情報とに照合することで、収録しているクリップがどのシーンのクリップなのかを判定する。同様に、図６に示すように、収録場所情報（予定）によって各シーンの収録場所が設定されているので、収録時に取得される収録場所情報（撮影）を、収録場所情報（予定）と番組構成情報とに照合することで、収録しているクリップがどのシーンの収録クリップなのかを判定する。
【００７５】
以下、クリップを分類する方法の一例を、図７,図８を参照して説明する。ここでは、シーン４８,シーン１０,シーン３を例にして説明する。
【００７６】
図４〜図６に示すように、シーン４８の収録日程情報（予定）は［Ｓ１≦収録日程（予定）＜Ｅ１］であり、収録人物情報（予定）は［人物（イ）,人物（ロ）,人物（ハ）］であり、収録場所情報（予定）は［場所（１）］であると仮定する。さらに、クリップ１,２,３の収録日程情報（撮影）は［Ｓ１≦（Ｔ１〜Ｔ３）＜Ｅ１］であり、収録人物情報（撮影）は［人物（イ）,人物（ロ）,人物（ハ）］であり、収録場所情報（撮影）は［場所（１）］であると仮定する。
【００７７】
この場合、ファイル管理器９は、次のような判断を下す。すなわち、
・クリップ１,２,３の収録日程情報（撮影）は、シーン４８の収録日程情報（予定）を満たす。
［Ｓ１≦（Ｔ１〜Ｔ３）＜Ｅ１］、
・クリップ１,２,３の収録人物情報（撮影）は、シーン４８の収録人物情報（予定）を満たす。
［人物（イ）,人物（ロ）,人物（ハ）］＝［人物（イ）,人物（ロ）,人物（ハ）］
・クリップ１,２,３の収録場所情報（撮影）は、シーン４８の収録場所情報（予定）を満たす。
［場所（１）］＝［場所（１）］
このような判断を下したファイル管理器９は、図８に示すように、番組構成情報への照合に基づいてクリップ１,２,３をシーン４８に分類する。
【００７８】
一方、図４〜図６に示すように、シーン１０の収録日程情報（予定）は［Ｓ２≦収録日程（予定）＜Ｅ２］であり、収録人物情報（予定）は［人物（イ）,人物（ロ）,人物（ホ）,人物（ヘ）,人物（ト）］であり、収録場所情報（撮影）は［場所（２）］であると仮定する。クリップ４〜７の収録日程情報（撮影）は［Ｓ２≦（Ｔ４〜Ｔ７）＜Ｅ２］であり、収録人物情報（撮影）は［人物（イ）,人物（ロ）,人物（ホ）,人物（ヘ）,人物（ト）］であり、収録場所情報（撮影）は［場所（２）］であると仮定する。
【００７９】
この場合、ファイル管理器９は、次のような判断を下す。すなわち、
・クリップ４〜７の収録日程情報（撮影）は、シーン１０の収録日程情報（予定）を満たす。
［Ｓ２≦（Ｔ４〜Ｔ７）＜Ｅ２］、
・クリップ４〜７の収録人物情報（撮影）は、シーン１０の収録人物情報（予定）を満たす。
［人物（イ）,人物（ロ）,人物（ホ）,人物（へ）,人物（ト）］＝［人物（イ）,人物（ロ）,人物（ホ）,人物（ヘ）,人物（ト）］
・クリップ４〜７の収録場所情報（撮影）は、シーン１０の収録場所情報（予定）を満たす。
［場所（２）］＝［場所（２）］
このような判断を下したファイル管理器９は、図８に示すように、番組構成情報への照合に基づいてクリップ４〜７をシーン１０に分類する。
【００８０】
一方、図４〜図６に示すように、シーン３の収録日程情報（予定）は［Ｔ５０≦収録日程（予定）＜Ｅ５０］であり、収録人物情報（予定）は［人物（チ）,人物（リ）,人物（ヌ）,人物（ル）］であり、収録場所情報（撮影）は［場所（５０）］であると仮定する。さらに、クリップ１９９,２００の収録日程情報（撮影）は［Ｓ５０≦（Ｔ１９９、Ｔ２００）＜Ｅ５０］であり、収録人物情報（撮影）は［人物（チ）,人物（リ）,人物（ヌ）,人物（ル）］であり、収録場所情報（撮影）は［場所（５０）］であると仮定する。
【００８１】
この場合、ファイル管理器９は、次のような判断を下す。すなわち、
・クリップ１９９,２００の収録日程情報（撮影）は、シーン３の収録日程情報（予定）を満たす。
［Ｓ５０≦（Ｔ１９９,Ｔ２００）＜Ｅ５０］、
・クリップ１９９,２００の収録人物情報（撮影）は、シーン３の収録人物情報（予定）を満たす。
［人物（チ）,人物（リ）,人物（ヌ）,人物（ル）］＝［人物（チ）,人物（リ）,人物（ヌ）,人物（ル）］
・クリップ１９９,２００の収録場所情報（撮影）は、シーン３の収録場所情報（予定）を満たす。
［場所（５０）］＝［場所（５０）］
このような判断を下したファイル管理器９は、図８に示すように、番組構成情報への照合に基づいてクリップ１９９,２００をシーン３に分類する。
【００８２】
図９は収録前と収録後の記録媒体における記録内容の対比図である。図９に示すように、第１の記録媒体１６には、メディアＩＤとしてメディア１が付与されている。メディアＩＤは記録媒体を識別するＩＤ番号である。このような第１の記録媒体１６に収録支援情報を構成する番組構成情報と収録日程情報（予定）と収録人物情報（予定）と収録場所情報（予定）とが収録開始以前に予め記録されている。記録は、番組構成入力装置１００により実施される。このような情報が記録された第１の記録媒体１６が本撮影装置２００に装填される。これにより、第１の記録媒体１６から収録支援情報が読み出されてファイル管理器９に格納される。この状態で以下に説明する映像収録が行われる。
【００８３】
収録が開始されると、第１の記録媒体１６の空き領域に、収録した映像ファイル,音声ファイルとともに、撮影状況情報を構成する収録日程情報（撮影）と収録人物情報（撮影）と収録場所情報（撮影）とが収録されていく。これらの撮影状況情報は、映像ファイルや音声ファイルに関連付けて第１の記録媒体１６に収録される。
【００８４】
収録後には、図９に示すように、映像ファイルと音声ファイルはクリップとして一括りにされて第１の記録媒体１６に記録されると共に、シーン毎に一括りにされ、番組構成とリンクしたクリップ情報が書かれている索引ファイルが記録される。索引ファイルは次のようにして作成される。
【００８５】
収録時には第２の情報取得器７Ｂによって、撮影状況情報が同時に生成されて、ファイル管理器９に供給される。ファイル管理器９は、これらの撮影状況情報を、第１の記録媒体１６内の収録支援情報に照合することで、撮影中のクリップと番組構成とを関連付ける索引ファイルを生成する。ファイル管理器９は、生成した索引ファイルを、記録中の記録媒体（この場合は第１の記録媒体１６）に記録する。
【００８６】
次に、図９〜１１を参照して、パーソナルコンピュータなどの外部の編集装置での編集作業を説明する。図１０は索引ファイルの内容の一例を示す模式図である、図１１は編集リストの一例を示す図である。
【００８７】
図９に示すように、収録後には、第１の記録媒体１６に、映像ファイル、音声ファイル、及び、索引ファイルの各ファイルが記録されており、各ファイルは、記録媒体毎に、所定のファイルシステムにより管理されている。
【００８８】
図１０に示すように、索引ファイルの中には、メディア１,メディア２等の記録媒体のメディアＩＤ、映像ファイル１,２,３…、音声ファイル１,２,３…等の各ファイルのファイルＩＤが、クリップ１,２,３…、等のクリップＩＤ、収録支援情報、および撮影状況情報に基づいて、各クリップ毎に分類されている。分類されたメディアＩＤは、シーン毎に一括りにされて、シーン１,２,３…等のシーンＩＤと共に記録されている。
【００８９】
編集装置では、先ず、第１の記録媒体１６が挿入され、索引ファイルが読み出されて、各クリップの映像,音声として確認可能な映像,音声ファイルが特定される。編集者は、映像ファイル,音声ファイルから再生される映像,音声を、シーン毎に視聴しながら、各クリップが必要かどうかＯＫ／ＮＧを判断し、所望のストーリーに合うように、図１１に示されるような編集リストを作成する。作成された編集リストは、テキストファイルなど所定のファイル形式で、編集装置により第１の記録媒体１６に記録され（図示せず）、本編集終了時には、再生時に、この編集リストに則って再生が為される。
【００９０】
再生時には、第１の記録媒体１６〜第ｎの記録媒体１７から番組構成順序に従って、必要なクリップが再生される。各クリップは、索引ファイルに記載されて、一括管理されているクリップ毎の映像と音声のファイルとをそれぞれ復号,再生する。
【００９１】
以上のように本実施の形態によれば、予め記録された収録支援情報を元に、収録された各クリップが、映像番組を構成するシーン毎に分類されて一括管理され、収録終了と同時に、粗編集が既に終了した状態となるので、後は、シーン毎にまとめられた所望のクリップを選択するだけで、本編集を終了する事が出来、本編集の手間を大幅に削減する事が出来る。
【００９２】
また、収録時に、予め収録内容とその日程が分かる為、収録シーンの取りこぼしなど、人的ミスの発生を未然に防止する事が出来、収録から編集、番組完成まで、トータルのワークフローを、より効率的に改善する事が出来る。
【００９３】
なお、上述した実施の形態１では、収録支援情報、撮影状況情報として、日程、人物、場所の３つの情報を用いている。これは、クリップの分類精度を高めるために本実施形態において採用された構成である。そのため、収録支援情報,撮影状況情報として、日程,人物,場所の３つの情報のうちの任意の１つないし任意の２つの情報を用いてもよいのはいうまでもない。さらには、３つ以上の情報を、収録支援情報,撮影状況情報として用いてもよいのもいうまでもない。
【００９４】
さらには、収録支援情報,撮影状況情報として、各クリップにおいて、出演者が喋る台詞を用いてもよい。その場合には、撮像装置２００’は、図１２に示すように、マイク４に入力される音声信号を音声認識する音声認識器３１をさらに備えたうえで次のように処理される。
【００９５】
各シーンの台詞情報は番組構成入力装置１００に入力されて第１の記録媒体１６に記録されたのち、第１の記録媒体１６を介して撮影装置２００’に取り込まれる。ここでいう各シーンの台詞情報とは、台本を参照してそのシーンを特定可能な台詞のことであって、例えば、そのシーンを択一的に特定できる場所,時間,状況を示す台詞のことである。台詞情報は、映像番組の企画立案者によって台本から選び出されたうえで番組構成入力装置１００に入力される。第１の記録媒体１６を介して撮影装置２００’に取り込まれた各シーンの台詞情報は、第１の情報取得器７Ａで抽出されたのちファイル管理器９に記憶される。ここでは、台詞情報は、撮影支援情報として用いられる。
【００９６】
以上の準備処理を行ったうえで、各クリップの撮影（収録）が実施される。撮影に際してマイク４が収録する音声情報（出演者の台詞情報）は、音声認識器３０によって音声認識処理されてテキストデータ（台詞）に変換されたのち、そのテキストデータ（台詞）は、ファイル管理器９に出力される。ファイル管理器９は、供給されるテキストデータ（台詞）と、予め記憶している各シーンの台詞情報（台本）とを照合することで、収録したクリップを分類する。以上の処理では、台詞情報は撮影支援情報として用いられ、テキストデータ（台詞）は、撮影状況情報として用いられる。マイク４と音声認識器３０とから撮影状況取得器が構成される。なお、マイク４は、撮影装置２００’に一体に組み込まれたマイクのほか、撮影装置２００’に有線／無線で接続された別体のマイクであってもよい。
【００９７】
さらには、収録支援情報,撮影状況情報として、各クリップにおける背景イメージを用いてもよい。その場合、撮像装置２００’’は、図１３に示すように、分類テーブル３２をさらに備えており、その分類テーブル３２には、各シーンの背景イメージ情報（予定）が格納されている。
【００９８】
各シーンの背景イメージ情報（予定）は、例えば、映像番組の企画立案者等によって各シーンの撮影場所が下見される際に予め任意の撮影装置を用いて撮影されたうえで、番組構成入力装置１００に入力される。番組構成入力装置１００に入力された各シーンの背景イメージ情報（予定）は、ここで第１の記録媒体１６に記録されたのち、第１の記録媒体１６を介して撮影装置２００’’に取り込まれる。第１の記録媒体１６を介して撮影装置２００’’に取り込まれた各シーンの背景イメージ情報（予定）は、第１の情報取得器７Ａで抽出されたのちファイル管理器９を介して分類テーブル３２に記憶される。分類テーブル３２は、各背景イメージ情報（予定）を各シーンに対応付けた状態で記憶する。
【００９９】
以上の準備処理を行ったうえで、各クリップの撮影（収録）が実施される。撮影により得られた映像情報は、映像ファイル生成器１０からファイル管理器９に出力される。ファイル管理器９は、供給される映像データと、予め分類テーブル３２に記憶している各シーンの背景イメージ情報（予定）とを映像照合することで、収録したクリップを分類する。
【０１００】
以上の処理では、背景イメージ情報（予定）は撮影支援情報として用いられ、実際に撮影した映像情報は、撮影状況情報として用いられる。撮像器１と記録映像信号処理器２と映像ファイル生成器１０とから撮影状況取得器が構成される。
【０１０１】
さらには、図１２に示す音声認識器３１を用いれば、次に説明する、さらなる詳細なクリップ分類処理を実施することができる。
【０１０２】
撮影されたクリップの良悪に関する粗判断は、撮影管理者（撮影監督）によって、収録直後の映像収録現場において行われる。粗判断は、例えば、出演者の演技の出来などを基準にして実施される。したがって、撮影後における撮影管理者（撮影監督）の収録構想の中では、各収録クリップは、映像番組の構成要素（シーン）となりうる候補クリップとそうでない非候補クリップとに既に粗分類されている。
【０１０３】
以上の撮影手順に基づき撮影現場では、一般にクリップ撮影直後において、撮影管理者（撮影監督）が大声で”ＯＫ”と発声したクリップは、映像番組の構成要素（シーン）となりうる候補クリップとして粗判断されたとみなされる。このことを利用して、次のようにしてファイル管理器９は、映像番組の構成要素（シーン）となりうる候補クリップとそうでない非候補クリップとを分類する。
【０１０４】
音声認識器３１は、マイク４が収録した音声情報を常時音声認識処理によりテキストデータ化してファイル管理器９に供給する。ファイル管理器９は、音声認識器３１から供給される音声認識結果（テキストデータ）において、撮影管理者（撮影監督）の”ＯＫ”音声が存在するか否かを判断する。そして、ファイル管理器９は、”ＯＫ”音声が存在するクリップを映像番組の構成要素（シーン）となりうる候補クリップに分類し、ＯＫ”音声が存在しないクリップを映像番組の構成要素（シーン）となりえない非候補クリップに分類する。なお、撮影管理者（撮影監督）の”ＯＫ”音声は、クリップ撮影直後に発せられるため、ファイル管理器９は、クリップ撮影末尾位置においてＯＫ”音声が存在するか否かを判断することで、誤判定（台詞内にＯＫ音声が存在した場合の誤認識等）を防いで判定精度を高めることができる。
【０１０５】
また、上述した説明では、クリップを映像番組の構成要素（シーン）となりうる候補クリップの判断を、撮影管理者（撮影監督）の”ＯＫ”音声の有無により実施していたが、図１４を参照して次に説明するようにしてもよい。すなわち、クリップを映像番組の構成要素（シーン）となりうる候補クリップの判断は、撮影管理者（撮影監督）の”ＯＫ”音声の他、撮影管理者（撮影監督）によるそのクリップの内容判断が良好なものを示す複数の音声により実施してもよい。良好なものを示す複数の音声としては、”最高”,”上々”,”グッド”,”まずまず”等が挙げられるが、撮影管理者（撮影監督）の口癖によっては他にも種々のものが存在する。そこで、図１４に示す撮像装置２００’’’では、分類テーブル３３をさらに備えている。撮像装置２００’’’の撮影作業者は、予め、撮影を担当する撮影管理者（撮影監督）が良好なクリップ撮影結果が得られた場合に発する単語を調べておいて、分類テーブル３３に登録しておく。そして、ファイル管理器９は、クリップ撮影時において、音声認識器３１から供給される音声認識結果（テキストデータ）と、分類テーブル３３に登録している単語（撮影管理者（撮影監督）が良好と思う場合に発する単語）とを照合することで、撮影結果が良好な場合に発する音声を撮影管理者（撮影監督）が発声したか否かを判断する。そして、ファイル管理器９は、良好な場合に発する音声が存在するクリップを映像番組の構成要素（シーン）となりうる候補クリップに分類し、良好な場合に発する音声が存在しないクリップを映像番組の構成要素となりえない非候補クリップに分類する。
【０１０６】
以上の評価処理を行う場合、マイク４と音声認識器３１とから評価入力器が構成される。また、撮影結果が良好な場合に発する音声の認識結果（テキストデータ）から収録状況評価が構成される。
【０１０７】
なお、評価入力器を構成するマイクは、撮影装置２００に接続された撮影用のマイク４だけではなく、有線／無線通信により撮影装置２００に接続されたうえで撮影管理者（撮影監督）が携帯する携帯型のマイクから構成することもできる。
【０１０８】
また、上述した説明では、マイク４や携帯型のマイクで収集される撮影管理者（撮影監督）の音声を音声認識器３１でテキストデータに変換したうえで、分類テーブル３３内の単語に照合させることで、その映像クリップを評価判定（分類）していた。しかしながら、収集した撮影管理者（撮影監督）の音声をテキストデータに変換することなく、音声のままで評価判定してもよい。この場合、分類テーブル３３には、撮影結果が良好な場合に撮影管理者（撮影監督）が発する音声データそのものが格納される。ファイル管理器９は、収集した撮影管理者（撮影監督）の音声と分類テーブル３３に格納している音声データとを音声データ同士で照合することで評価判定（分類）する。照合は、例えば、声紋を比較することで実施される。
【０１０９】
また、撮影管理者（撮影監督）による評価入力は音声入力だけでなく、この他、有線／無線通信により撮影装置２００に接続された評価入力器（図示省略）を撮影管理者（撮影監督）が携帯しながらクリップ撮影を行い、撮影直後に、撮影管理者（撮影監督）が評価入力器に対してボタン操作を実施して評価入力してもよい。その場合、評価入力器に入力される評価情報（収録状況評価）は、有線／無線通信を介して撮影装置２００のファイル管理器９に供給される。
【０１１０】
（実施の形態２）
図１５は本発明の実施の形態２における撮影装置のブロック構成図である。
【０１１１】
本発明の実施の形態２の撮影装置は、図２に示す実施の形態１の構成に加え、映像ファイル再生器１８、映像信号合成器１９、表示器としてのビューファインダー２０を備える。
【０１１２】
本発明の撮影装置を用いてビューファインダー２０に撮影映像と予め記録された映像の合成表示を行いながら、撮影映像信号を記録媒体に記録する動作について説明する。
【０１１３】
第１の記録媒体１６から第ｎの記録媒体１７のいずれかの中に予め記録された映像ファイルが記録再生制御器１３によって読み出される。読み出された映像ファイルは映像ファイル再生器１８を用いて再生される。映像信号合成器１９によって、映像ファイル再生器１８を用いて再生された映像信号と、撮像器１によって撮像され記録映像信号処理器２によって信号処理を行われた映像信号とが合成される。合成された映像信号はビューファインダー２０に表示される。一方、映像信号合成器１９によって合成される信号とは別に、記録映像信号処理器２から出力される映像信号は、映像信号符号化器３によって符号化される。またマイク４より音声信号が出力される。記録音声処理器５によってマイクより出力された音声信号に信号処理を行ったうえで、音声信号符号化器６によって符号化される。符号化された映像信号と、符号化された音声信号とは、映像ファイル生成器１０、及び音声ファイル生成器１１によって所定のファイル形式によって記録媒体に記録される。このとき記録される映像ファイルは予め記録されていた映像ファイルとは別ファイルに記録される。
【０１１４】
この動作について図１６を参照して説明する。
【０１１５】
記録媒体に予めクロマキー合成などに用いる映像を記録しておく。予め記録しておいた映像信号を再生する。再生と同時に合成する映像を撮影する。予め記録された映像信号と撮影された映像信号とは合成され、ビューファインダー２０上に表示される。撮影された映像信号は予め記録された映像信号とは別に符号化され、映像ファイルとなる。記録媒体から予め記録された映像信号を読み出しながら、撮影された映像信号を記録媒体に記録する。
【０１１６】
以上のように本実施の形態によれば、最終的にはクロマキー合成などの加工処理を行うことを目的とした映像を撮影する場合に、予め記録媒体に記録された合成用に使用する映像と、撮影された映像とを撮影装置内で合成処理し、合成された映像をビューファインダー２０等の表示器で表示して確認しながら撮影を行うことにより、収録の段階で、合成処理を施した最終的な形の映像として撮影した映像を評価することが可能となる。したがって、記録媒体を収録現場から持ち帰って、実際に編集、加工処理を行ってから撮影した映像を評価するのに対して、迅速かつ確実に最適な映像を選択することができる。また、記録媒体に記録される撮影された映像信号と、予め記録されている映像信号とは別ファイルになっており、かつ記録媒体に記録される映像信号は合成処理が行われていない撮影した映像信号そのものであるため、撮影後に行う編集作業の自由度を広げることが可能となる。
【０１１７】
尚以上一連の実施の形態における映像信号の符号化は、ＤＶ規格やＭＰＥＧ２規格など、高効率な符号化が考えられるが、符号化の規格であれば如何なる規格でも良く、例えば、ＭＰＥＧ４,ＪＰＥＧ２０００,Ｍｏｔｉｏｎ ＪＰＥＧ２０００等の規格であっても良い。
【０１１８】
また、装填器は、種類の異なるカードスロットを設けて、タイプの異なるカード状記録媒体を着脱可能とする構成としても良い。例えば、高解像度の再生映像を得る高ビットレートのビットストリームをＰＣカード ＴＹＰＥ１,ＴＹＰＥ２,もしくは、ＴＹＰＥ３の形状をした大容量、高転送速度のメモリカードパックに記録し、低解像度の再生映像が得られる低ビットレートのビットストリームを切手サイズの比較的容量の小さいＳＤメモリカード等のメモリカードに記録する等の方法が考えられる。
【０１１９】
更に、上述した各実施形態においては、第１の装填器に装填される第１の記録媒体に収録支援情報を予め記録しておいたが、特定の装填器に装填される記録媒体のみに収録支援情報をまとめて記録しておかなくてもよく、例えば、複数の収録支援ファイルを複数の記録媒体に分けて記録しておいても良い。
【０１２０】
また、記録媒体は、ＰＣＩバスなどの汎用バスに設けられた複数の装填器に着脱する構成としても良い。
【産業上の利用可能性】
【０１２１】
本発明の撮影装置は、番組制作のワークフローにおいて、素材の収録時にメタデータを利用した効率的、かつ最適な素材の収録を行うことにより、番組制作工程全体を効率化し、制作時間の短縮、制作コストの削減を実現することができる映像音声情報を収録する、複数の着脱可能な記録媒体を装填可能な撮影装置等として有用である。
【図面の簡単な説明】
【０１２２】
【図１】本発明の実施の形態１における撮影システムの構成図である。
【図２】本発明の実施の形態１における撮影装置のブロック構成図である。
【図３】本発明の番組構成情報の模式図である。
【図４】本発明の収録日程情報（予定）の模式図である。
【図５】本発明の収録人物情報（予定）の模式図である。
【図６】本発明の収録場所情報（予定）の模式図である。
【図７】本発明の収録クリップと収録クリップに付帯する撮影状況情報の対応図である。
【図８】本発明の各シーンと各シーンを構成するクリップの関係図である。
【図９】本発明の収録前と収録後の記録媒体における記録内容の対比図である。
【図１０】本発明における索引ファイルの内容の一例を示す模式図である。
【図１１】編集リストの一例を示す図である。
【図１２】実施の形態１の第１の変形例における撮影装置の構成図である。
【図１３】実施の形態１の第２の変形例における撮影装置の構成図である。
【図１４】実施の形態１の第３の変形例における撮影装置の構成図である。
【図１５】本発明の実施の形態２における撮影装置のブロック構成図である。
【図１６】本発明の実施の形態２における動作の説明図である。
【符号の説明】
【０１２３】
１  撮像器
２  記録映像信号処理器
３  映像信号符号化器
４  マイク
５  記録音声信号処理器
６  音声信号符号化器
７Ａ  第１の情報取得器
７Ｂ  第２の情報取得器
７ａ  日程情報取得器
７ｂ  人物情報取得器
７ｃ  場所情報取得器
７ｄ  無線発信器
７ｅ  無線受信器
７ｆ  ＧＰＳ測位装置
９  ファイル管理器
１０  映像ファイル生成器
１１  音声ファイル生成器
１２  索引ファイル生成器
１３  記録再生制御器
１４  第１の装填器
１５  第ｎの装填器
１６  第１の記録媒体
１７  第ｎの記録媒体
１８  映像ファイル再生器
１９  映像信号合成器
２０  ビューファインダー
３０  内蔵時計
３１  音声認識器
３２  分類テーブル
３３  分類テーブル
１００  番組構成入力装置
２００  撮影装置
２００’  撮影装置
α  撮影に出演する人物
【図１】
0004580925.tif 000002
【図２】
0004580925.tif 000003
【図３】
0004580925.tif 000004
【図４】
0004580925.tif 000005
【図５】
0004580925.tif 000006
【図６】
0004580925.tif 000007
【図７】
0004580925.tif 000008
【図８】
0004580925.tif 000009
【図９】
0004580925.tif 000010
【図１０】
0004580925.tif 000011
【図１１】
0004580925.tif 000012
【図１２】
0004580925.tif 000013
【図１３】
0004580925.tif 000014
【図１４】
0004580925.tif 000015
【図１５】
0004580925.tif 000016
【図１６】
0004580925.tif 000017